(57)【要約】【課題】簡単な構造で基礎見切りを固定する。基礎見切りの取り付け状態を安定したものとする。基礎見切りの材料コストを低減すること。【解決手段】外装材３が下地材２の表面に固定されてなる外壁１の下端部に基礎見切り４１を取り付けるにあたって、基礎見切り４１は、外装材３の下端部３ａと基礎８上面との隙間を覆うための覆い部４１ａと上方に開口した略Ｕ字形の嵌め込み部４１ｂとが一体形成されており、外装材３の下端部３ａに嵌め込み部４１ｂを嵌め込んで外装材３を固着具４０により下地材２に固着した状態で、外装材３の下端部３ａと基礎８上面との間で嵌め込み部４１ｂの底片４１ｅが挟着されている。【選択図】        図１
2004300670.tif 000002
【特許請求の範囲】
【請求項１】
外装材が下地材の表面に固定されてなる外壁の下端部に基礎見切りを取り付ける構造において、基礎見切りは、外装材の下端部と基礎上面との隙間を覆うための覆い部と上方に開口した略Ｕ字形の嵌め込み部とが一体形成されており、外装材の下端部に嵌め込み部を嵌め込んで外装材を固着具により下地材に固着した状態で、外装材の下端部と基礎上面との間で嵌め込み部の底片が挟着されてなることを特徴とする基礎見切りの取付構造。
【発明の詳細な説明】
【０００１】
【発明の属する技術分野】
本発明は、基礎見切りの取付構造に関するものである。
【０００２】
【従来の技術】
従来、基礎８上面の土台金具１０に外壁１のパネルフレーム２の下端部を固定し、外装材の下端部３ａの下方に基礎見切り４１’を配置している。その一例として、図５（ａ）に示すように、基礎８と外壁１との間が土台金具１０によって上下方向に大きく開口しており、この開口を上下方向に長い基礎見切り４１’にて覆った状態で、基礎見切り４１’の後端部４１ａ’をパネルフレーム２の下端部の前面にネジ等で固定し、基礎見切り４１’の前端部を基礎８のモルタル８ａに係止させたものが知られている（例えば、特許文献１参照）。
【０００３】
【特許文献１】
特開２００１−１７３１９７号公報
【０００４】
【発明が解決しようとする課題】
ところが、従来の基礎見切り４１’にあっては、図５に示すように、上下寸法が長い基礎見切り４１’を用いて土台金具１０を覆い隠すようにしているため、基礎見切り４１’の材料コストがアップするという問題がある。しかも基礎見切り４１’の下端部はモルタル８ａに係止されているにすぎないため、基礎見切り４１’の取り付け状態がきわめて不安定なものとなり、基礎見切り４１’に外力が作用すると、基礎見切り４１’の下端部側（自由端側）がめくれるように変形したり、あるいはがたついたりするという問題がある。そのうえ、基礎見切り４１’をパネルフレーム２の下端部に固定する作業とは別に、ＡＬＣ等の外装材をパネルフレーム２に対して固定する作業を行なっているため、現場において基礎見切り４１’と外装材の取り付け作業に大きくの時間と手間がかかり、作業効率が低下するという問題もある。
【０００５】
本発明は、上記の従来例の問題点に鑑みて発明したものであって、その目的とするところは、簡単な構造で基礎見切りを固定でき、現場での基礎見切りの取り付け作業にかかる手間が省かれ、作業効率の向上を図ることができると共に、基礎見切りの取り付け状態が安定したものとなり、そのうえ、基礎見切りの材料コストを低減できる基礎見切りの取付構造を提供することにある。
【０００６】
【課題を解決するための手段】
上記課題を解決するために本発明にあっては、外装材３が下地材２の表面に固定されてなる外壁１の下端部に基礎見切り４１を取り付ける構造において、基礎見切り４１は、外装材３の下端部３ａと基礎８上面との隙間を覆うための覆い部４１ａと上方に開口した略Ｕ字形の嵌め込み部４１ｂとが一体形成されており、外装材３の下端部３ａに嵌め込み部４１ｂを嵌め込んで外装材３を固着具４０により下地材２に固着した状態で、外装材３の下端部３ａと基礎８上面との間で嵌め込み部４１ｂの底片４１ｅが挟着されてなることを特徴としており、このように構成することで、外装材３と基礎８とを利用して基礎見切り４１を簡単に固定できるようになり、基礎見切り４１を固定する作業を省略でき、作業効率の向上を図ることができる。また、基礎見切り４１の取り付け状態がきわめて安定したものとなるため、基礎見切り４１の覆い部４１ａに外力が作用したときにもめくれるように変形したり、がたついたりするおそれがなくなる。そのうえ、外装材３の下端部３ａと基礎８上面とが接近することで、基礎見切り４１の覆い部４１ａを上下方向に短くでき、材料コストを低減できる。
【０００７】
【発明の実施の形態】
以下、本発明を添付図面に示す実施形態に基づいて説明する。
【０００８】
本実施形態の外壁１は、図１に示すように、下地材２の表面に外装材３がボルト等の固着具４０により固着されて構成されている。
【０００９】
本実施形態の外壁１は、図２に示すように、下地材を構成する矩形状をした金属製のパネルフレーム（以下、「パネルフレーム２」という）の屋外側の面に、外装材３であるＡＬＣ板３をボルト６０で固着して構成されている。パネルフレーム２の屋内側には内装下地材１８ａ及び内装材１８ｂが貼着されている。ここでは、ＡＬＣ板３の上下方向Ｃの寸法がパネルフレーム２の上下方向Ｃの寸法よりも短く設定されると共にＡＬＣ板３の上側及び下側には、それぞれ、現場貼りＡＬＣ板３Ａが貼着可能なスペースが設けられており、この現場貼りＡＬＣ板３Ａを用いることで、外壁１は各階共通して使用できるようになっている。
【００１０】
上記金属製のパネルフレーム２の下端部２ａには、受け金具４が取り付けられる。受け金具４は、図３に示すように、パネルフレーム２の下端部２ａが載置される平坦状の載置部５と、載置部５の後端部５ｂから後方Ｂに向けて突設された側面視で略逆Ｕ字形の係止溝部６と、載置部５の後端部５ｂから下方に向けて垂設された垂下部７とが一体に設けられている。第１の締結用ボルト１１とナット１１ａとを用いて、パネルフレーム２の下端部２ａが載置部５に対して接離可能に固定されている。また載置部５の前端部５ａには下り傾斜した誘い込み部２０が設けられ、この誘い込み部２０によって高さ調整用のスペーサ（図示せず）をパネルフレーム２の下端部２ａと載置部５との間に挿入しやすくしてある。
【００１１】
一方、図３に示すように、１階の土台金具１０は基礎８上面にアンカーボルト２２で固定され、２階の土台金具１０’（図２）は２階の梁９の上フランジ９ａにアンカーボルト２２’とナット２２ａ’とを用いて固定される。各階の土台金具１０，１０’は同じ形状をしている。本例の土台金具１０（１０’も同様）は、図３に示すように、縦片１７の上端部が受け金具４の係止溝部６を支点支持するための支点支持部１５となっており、縦片１７の側面部が受け金具４の垂下部７を側面支持するための側面支持部１６となっている。
【００１２】
ここで、図３に示すように、土台金具１０の支点支持部１５により受け金具４の係止溝部６を支点支持し且つ土台金具１０の側面支持部１６により受け金具４の垂下部７を側面支持した状態では、受け金具４の載置部５が水平方向に向けた状態で保持されるようになり、この状態で第２の締結用ボルト１２とナット１２ａとを用いて前後方向から垂下部７を土台金具１０の縦片１７に対して締結することで、外壁１の下端部１ｂが土台金具１０に対して上下方向Ｃに動かないように固定されるようなっている。
【００１３】
１階の外壁１のパネルフレーム２の上端部２ｂは、図２に示すように、保持金具２３を用いて２階の梁９の下フランジ９ｂに対して保持され、２階の外壁１のパネルフレーム２の上端部２ｂは、保持金具２３’を用いて屋根の梁９の下フランジ９ｂに対して保持されている。図２の例では、２階建ての住宅を例示しているが、もちろん３階建て以上の建物にも同様に適用されるものである。なお図２、図３中の３１は目地、３２はシーリング材、３３は土台断熱材、３４は床梁断熱材、３５は床パネル、３６は木質床材、３７は天井下地材、３８は天井断熱材、６０はＡＬＣ板３Ａをパネルフレーム２に対して固定するネジである。
【００１４】
１階の外壁１のＡＬＣ板３の下側には図２に示すように、現場貼りＡＬＣ板３Ａが固着され、その最下端に後述する基礎見切り４１が配設されている。また１階の外壁１のＡＬＣ板３の上側と２階の外壁１のＡＬＣ板３の下側との間にも現場貼りＡＬＣ板３Ａ’が固着される。さらに、２階の外壁１のＡＬＣ板３の上端部に対して軒天４２の支持金具４３をネジ４４等で固着する。
【００１５】
上記基礎見切り４１は金属製であって長尺物であり、図１に示すように、外装材３の下端部３ａと基礎８上面との隙間を覆い隠すための覆い部４１ａと、上方に開口した略Ｕ字形の嵌め込み部４１ｂとが一体形成されている。この嵌め込み部４１ｂは、底片４１ｅと、底片４１ｅの前端部から現場貼りＡＬＣ板３Ａの下端部の前面に沿って立ち上がる前側水切り片４１ｃと、底片４１ｅの後端部から現場貼りＡＬＣ板３Ａの下端部の後面に沿って立ち上がる後側水切り片４１ｄとで一体に構成されている。この基礎見切り４１の嵌め込み部４１ｂを現場貼りＡＬＣ板３Ａの下端部に嵌め込み、現場貼りＡＬＣ板３Ａの下端部と基礎８上面との間で嵌め込み部４１ｂの底片４１ｅを挟着することで基礎見切り４１が固定されるようになっている。
【００１６】
ここで、図１に示すように、嵌め込み部４１ｂの後側水切り片４１ｄは、外壁１の下端部から下方に離れて位置しており、その上端部は自由端とされている。つまり本発明では、基礎見切り４１の固定は、従来のようにボルトなどの固着具を用いてパネルフレーム２に対して固着するものではなく、現場貼りＡＬＣ板３Ａの下端部と基礎８上面との間で挟着することによって行なわれるものである。本例では、後側水切り片４１ｄは前側水切り片４１ｃとほぼ同じ高さに形成され、その上端部には斜め上後方に傾斜したガイド部４５が設けられ、現場貼りＡＬＣ板３Ａの下端部に対して嵌め込み部４１ｂをスムーズに嵌め込むことができるようにしてある。前側水切り片４１ｃの屋外側にはコーキング材４６（図１）が充填される。図１中の８０は現場貼りＡＬＣ板３Ａの下端部３ａが当るリブである。
【００１７】
しかして、外壁１を施工するにあたっては、予め、図３に示すように、外壁１のパネルフレーム２の下端部２ａに対して受け金具４の載置部５を第１の締結用ボルト１１で固定し、且つ受け金具４の係止溝部６を土台金具１０の縦片１７の上端部にて支点支持した状態で、受け金具４の垂下部７を第２の締結用ボルト１２により土台金具１０の縦片１７に対して固定する。これにより、外壁１が土台金具１０に対して固定される。その後、ＡＬＣ板３の下側に現場貼りＡＬＣ板３Ａ及び基礎見切り４１を取り付ける。つまり基礎見切り４１の嵌め込み部４１ｂを現場貼りＡＬＣ板３Ａの下端部に嵌めこんだ状態で、現場貼りＡＬＣ板３Ａの下端部を基礎８上面に載置し、現場貼りＡＬＣ板３Ａをボルトでパネルフレーム２に固定する。このとき、基礎見切り４１の覆い部４１ａが現場貼りＡＬＣ板３Ａの下端部と基礎８上面との隙間を隠した状態となり、嵌め込み部４１ｂの底片４１ｅが現場貼りＡＬＣ板３Ａの下端部と基礎８上面との間で挟着されることで、簡単な構造で基礎見切り４１が固定可能となる。
【００１８】
このように、基礎見切り４１の嵌め込み部４１ｂを現場貼りＡＬＣ板３Ａ等のような外装材３の下端部３ａと基礎８上面との間で挟着することで基礎見切り４１を簡単に固定できるので、基礎見切り４１を固定する作業を省略できる。つまり、外装材３をパネルフレーム２にボルト等の固着具４０で固着したときに、同時に基礎見切り４１の嵌め込み部４１ｂが外壁１の下端部と基礎８上面との間で挟み込まれて動かないようになる。従って、基礎見切り４１の取り付けが不要となり、現場での基礎見切り４１の取り付け作業にかかる手間が省かれ、作業効率の向上を図ることができると共に、基礎見切り４１の取り付け状態がきわめて安定したものとなるため、基礎見切り４１の覆い部４１ａに外力が作用したときにもめくれるように変形したり、がたついたりするおそれがなくなり、取り付け精度の向上を図ることができる。
【００１９】
また、従来では基礎見切り４１を土台金具１０全体を覆い隠すために基礎見切り４１全体を上下方向に長く延ばす必要があったが、本発明ではかかる必要はなく、しかも外装材３の下端部３ａと基礎８上面とが接近することで覆い部４１ａを短くでき、基礎見切り４１の材料コストをより低減することができる。
【００２０】
また本発明の他の例として、図４に示すように、嵌め込み部４１ｂの下面に両面粘着テープ４７を貼着してもよい。この場合、基礎見切り４１を基礎８上面に対してより確実に固着できるようになり、防水効果を高めることもできる。
【００２１】
なお前記実施形態では、基礎見切り４１を現場貼りＡＬＣ板３Ａの下端部に取り付ける場合を説明したが、例えば現場貼りＡＬＣ板３Ａを省略し、工場で貼着されるＡＬＣ板３の下端部を下方に長く延ばして基礎８上面に載置するようにし、そのＡＬＣ板３の下端部と基礎８との間で基礎見切り４１の嵌め込み部４１ｂを挟着してもよいものである。
【００２２】
【発明の効果】
上述のように請求項１記載の発明にあっては、外装材が下地材の表面に固定されてなる外壁の下端部に基礎見切りを取り付ける構造において、基礎見切りは、外装材の下端部と基礎上面との隙間を覆うための覆い部と上方に開口した略Ｕ字形の嵌め込み部とが一体形成されており、外装材の下端部に嵌め込み部を嵌め込んで外装材を固着具により下地材に固着した状態で、外装材の下端部と基礎上面との間で嵌め込み部の底片が挟着されてなるので、外装材と基礎とを利用して基礎見切りを簡単に固定できるようになり、基礎見切りを固定する作業を省略できる。つまり、外装材を下地材にボルト等の固着具で固着したときに、同時に基礎見切りの嵌め込み部が外壁の下端部と基礎上面との間で挟み込まれて動かないようになるので、基礎見切りの取り付けが不要となり、現場での基礎見切りの取り付け作業にかかる手間が省かれ、作業効率の向上を図ることができると共に、基礎見切りの取り付け状態がきわめて安定したものとなるため、基礎見切りの覆い部に外力が作用したときにもめくれるように変形したり、がたついたりするおそれがなくなり、取り付け精度の向上を図ることができ、そのうえ、外装材の下端部と基礎上面とが接近することで、基礎見切りの覆い部を上下方向に短くでき、材料コストを低減できるものである。
【図面の簡単な説明】
【図１】本発明の実施形態の一例を示す断面図である。
【図２】同上の外壁全体を説明する断面図である。
【図３】同上の外壁を土台金具に固定する場合の説明図である。
【図４】他の実施形態の基礎見切りの説明図である。
【図５】（ａ）は従来例の断面図、（ｂ）は基礎見切り付近の断面図である。
【符号の説明】
１  外壁
２  下地材
３  外装材
３ａ  下端部
８  基礎
４０  固着具
４１  基礎見切り
４１ａ  覆い部
４１ｂ  嵌め込み部
【図１】
2004300670.tif 000003
【図２】
2004300670.tif 000004
【図３】
2004300670.tif 000005
【図４】
2004300670.tif 000006
【図５】
2004300670.tif 000007